(57)【特許請求の範囲】
【請求項１】
患者の脈管内のターゲットサイトにおいて塞栓アッセンブリを切り離すデバイスにおいて、
少なくとも一部が第１の非導電物質内に固定的に覆われており、近位端と遠位端を有する第１の導電物質を具えるコアワイヤであって、その近位端が電気信号発生器に連結されているコアワイヤと、
近位端と遠位端を具えるフレキシブル部材であって、その近位端が前記コアワイヤの遠位端に連結されているフレキシブル部材と、
近位端と遠位端を具える塞栓アッセンブリであって、その近位端が前記フレキシブル部材の遠位端に機能的に連結されている塞栓アッセンブリと、
前記塞栓アッセンブリの近位端と前記第１の非導電物質の遠位端の間に配置された電解的切り離し部位と、
を具え、
前記フレキシブル部材が、前記第１の導電物質と同じまたは異なる物質である第２の導電物質を具える第２のワイヤであって、螺旋状コイルセグメントと、前記螺旋状コイルセグメントの遠位に直線状セグメントを有する第２のワイヤを具え、
前記螺旋状コイルセグメントが前記コアワイヤの遠位端に固定的に連結されていると共に、前記第１の非導電物質内に固定的に覆われており、
前記直線状セグメントの少なくとも一部が裸出しており、当該裸出部分が前記第２の導電物質と異なる第３の導電物質の近位端に連結されており、前記第３の導電物質が前記塞栓アッセンブリに機能的に連結された遠位端を有することを特徴とするデバイス。
【請求項２】
請求項１に記載のデバイスにおいて、前記第３の導電物質が、前記塞栓アッセンブリの近位端とともに、前記第１の非導電物質と同じか、あるいは異なる非導電物質内に覆われていることを特徴とするデバイス。
【請求項３】
請求項１に記載のデバイスにおいて、前記第３の導電物質が前記第２のワイヤの直線セグメントの裸出部分の周りに螺旋状に固定的に巻かれた導電ワイヤを具えることを特徴とするデバイス。
【請求項４】
請求項１に記載のデバイスにおいて、前記第２のワイヤの螺旋状に巻回したセグメントが第１及び第２の螺旋状巻回部分を具え、これらの部分が独立してオープンピッチまたはクローズドピッチとなっており、前記第１の部分が第１の非導電物質内に少なくとも部分的に固定的に覆われており、前記第２の部分が前記第１の非導電物質内に選択的に部分的に覆われていると共に前記コアワイヤの遠位端に連結されており、前記第２の部分が前記第１の部分の遠位であり、前記第３の導電物質に連結されていることを特徴とするデバイス。
【請求項５】
請求項４に記載のデバイスにおいて、前記螺旋状巻回セグメントの第１及び第２の部分が双方ともクローズドピッチであることを特徴とするデバイス。
【請求項６】
請求項４に記載のデバイスにおいて、前記螺旋状巻回セグメントの第１及び第２の部分が双方ともオープンピッチであることを特徴とするデバイス。
【請求項７】
請求項４に記載のデバイスにおいて、前記螺旋状巻回セグメントの第１の部分がオープンピッチであり、第２の部分がクローズドピッチであることを特徴とするデバイス。
【請求項８】
請求項４に記載のデバイスにおいて、前記螺旋状巻回セグメントの第２の部分が少なくとも部分的に、前記第１の非導電物質と同じか、あるいは異なる第２の非導電物質で表面被覆されていることを特徴とするデバイス。
【請求項９】
請求項１に記載のデバイスにおいて、前記コアワイヤがステンレススチールかまたはニチノールを具え、前記第１の非導電物質が第１の非導電ポリマを具え、前記第２のワイヤが独立してステンレススチールかニチノールを具え、前記第３の導電物質がプラチナ−タングステン合金を具えることを特徴とするデバイス。
【請求項１０】
請求項８に記載のデバイスにおいて、前記コアワイヤがステンレススチール又はニチノールを具え、前記第１の非導電物質が第１の非導電ポリマを具え、前記第２のワイヤが独立してステンレススチール又はニチノールを具え、前記第３の導電物質がプラチナ−タングステン合金を具え、前記第２の非導電物質が前記第１の非導電ポリマと同じかあるいは異なる第２の非導電ポリマを具えることを特徴とするデバイス。
【請求項１１】
請求項４に記載のデバイスが更に、第１及び第２の端部を有する伸縮性抵抗部材を具え、前記第１の端部が前記コアワイヤの遠位端に固定的に連結されており、前記第２の端部が前記フレキシブル部材に固定的に連結されていることを特徴とするデバイス。
【請求項１２】
請求項１に記載のデバイスが更に、前記第１の非導電物質の遠位端に非導電ブッシングを具え、当該ブッシングが前記コアワイヤの遠位端あるいは前記フレキシブル部材の遠位端が通るルーメンを有することを特徴とするデバイス。
【請求項１３】
請求項１乃至１２のいずれかに記載のデバイスにおいて、前記ターゲット部位が、動脈瘤、動静脈奇形、フィステル、血管、またはその他のすべての身体ルーメンからなる群から選択されることを特徴とするデバイス。
【発明の詳細な説明】
【背景技術】
【０００１】
発明の背景
動脈瘤の破裂を防ぐ、あるいは破裂があった場合に失血を最小限にするために塞栓デバイスを使用することは比較的ルーチンな医療手順になってきている。基本的なアプローチは、遠隔位置で脈管に挿入され、動脈瘤近傍位置に方向付けられている操縦可能なカテーテルを用いて動脈瘤のある部位にデバイスを送出する。次いで遠位端に取り付けた塞栓デバイスを有する押し出しワイヤを、デバイスが動脈瘤に達するまでカテーテルにねじ込む。塞栓デバイスは通常プラチナ／タングステン合金でできたワイヤコイルを具えており、このコイルは伸びたときにリニアな螺旋形状をしており、弛緩したときに巻き込んだ形状になって動脈瘤の内部を埋める。この巻き込んだ形状は、完全にランダムであるか、あるいは形状記憶合金を用いて制御することもできる。コイルワイヤは一般的に直径２〜６ミルであり、コイルは通常、直径１０〜３０ミルである。このコイルの長さは使用目的に応じてどのようなものであってもよい。サイズに応じて、一ないし多数のコイルを用いて単一の動脈瘤を埋めることができる。一旦正しい位置におかれると、塞栓デバイスは直ちに血栓を形成し始め、破裂の可能性をさらに少なくするあるいは、動脈瘤が破れた場合に大幅な失血を少なくするコラーゲン材料で補足される。
【０００２】
押し出しワイヤの遠位端からのコイルの取り外しは、機械的なもの（スクリューを外す、キーをスロットから外す、ボールトソケットを切り離すなど）、電解的なもの（異なる標準電極電位を有する金属間の結合を切り離す）、及びエネルギィ的なもの（振動による結合破壊）を含む様々な方法で行うことができる。電解的な切り離しは、そのスピードと正確さによって、塞栓デバイスの切り離しに現在好まれているアプローチの一つである。事実上、すべての電解的に分離可能な塞栓デバイス送出システムにおいて、塞栓デバイスが押し出しワイヤの端部に取り付けられており、押し出しワイヤ金属と塞栓デバイス間の電極電位差が必要な電位を与えている。押し出しワイヤは、一般に相対的に堅く、カテーテル内に制御可能にねじ入れて塞栓デバイスをターゲット部位に位置させる必要な特性を有している。しかしながら、デバイスの遠位端が押し出しワイヤ自体より、いくらかよりフレキシブルであれば、ある利点が生じる。限定するものではないが、例えば、何人かのオペレータは塞栓デバイスが配置され切り離されるときにデバイスがよりソフトな感覚を提供することを発見するであろう。本発明は、このようなフレキシブルデバイスを提供するものである。
【０００３】
発明の概要
本発明の一実施例では、塞栓アッセンブリを脈管中のターゲット部位で開放するデバイスが：
第１の非導電物質内に少なくとも部分的に固定的に覆われており、近位端と遠位端を有しており、この近位端が電気信号発生器に連結されている第１の導電物質を具えるコアワイヤと；
近位端と遠位端を有し、近位端が前記コアワイヤの遠位端に連結されているフレキシブル部材と；
近位端と遠位端を有し、近位端が前記フレキシブル部材の遠位端に機能的に連結されている塞栓アッセンブリと；
前記塞栓アッセンブリの近位端と前記第１の非導電物質の遠位端との間に配置された電解切り離し部位と；
を具える。
【０００４】
フレキシブル部材は、第２の導電物質を有する第２のワイヤを具えていてもよい。この第２の導電物質は、第１の導電物質と同じであっても、別のものでもよい。第２のワイヤは、螺旋状コイルセグメントと、この螺旋状コイルセグメントの遠位に、直線状セグメントを有していてもよい。前記螺旋状コイルセグメントがコアワイヤの遠位端に固定的に連結されており、同時に前記第１の導電物質に固定的に覆われている場合は、前記直線セグメントの少なくとも一部が裸出している。この裸出部は、前記第２の導電物質とは異なる第３の導電物質の近位端に連結されており、この第３の導電物質は塞栓アッセンブリに機能的に連結されている遠位端を有する。一の実施例では、第３の導電物質は、塞栓アッセンブリの近位端と共に、非導電物質内に覆われている。この非導電物質は第１の非導電物質と同じであっても、別のものであってもよい。別の実施例では、第３の導電物質が、前記第２のワイヤの直線セグメントの裸出部の周囲に固定的に螺旋状に巻回された導電ワイヤを具えている。
【０００５】
一の実施例では、第２のワイヤの螺旋状巻回したセグメントが、第１及び第２の螺旋状巻回部分を具え、この両部分は独立してオープンピッチまたはクローズドピッチであり、第１の螺旋状部分は少なくとも部分的に前記第１の非導電物質内に固定的に覆われており、第２の螺旋状部分は、選択的に前記第１の非導電物質内に部分的に覆われているとともに、前記コアワイヤの遠位端に連結されており、前記第２の螺旋状部分は前記第１の螺旋状部分の遠位にあり、前記第３の導電物質に連結されている。例えば、前記螺旋状巻回セグメントの前記第１及び第２の部分は、クローズドピッチまたはオープンピッチであってもよい。
【０００６】
一の実施例では、前記螺旋状巻回セグメントの第２の部分が少なくとも部分的に第２の非導電物質で表面被覆されている。第２の非導電物質は前記第１の非導電物質と同じものであっても、異なるものであってもよい。
【０００７】
一の実施例では、コアワイヤはステンレススチールまたはニチノールでできている；前記第１の非導電物質は、第１の非導電ポリマでできている；前記第２のワイヤは、独立してステンレススチール又はニチノールでできており、前記第３の導電物質は、プラチナ−タングステン合金でできている。別の実施例では、前記コアワイヤはステンレススチールまたはニチノールでできており；前記第１の非導電物質は、第１の非導電ポリマでできており；第２のワイヤは独立してステンレススチールまたはニチノールでできており、前記第３の導電物質は、プラチナ−タングステン合金でできており、前記第２の非導電物質は第２の非導電ポリマでできている。第２の非導電ポリマは、前記第１の非導電ポリマと同じであってもよく、異なるものであってもよい。
【０００８】
一の実施例では、前記フレキシブル部材が、第１及び第２の端部を有し、その両端部がコアワイヤの遠位端に機能的に連結されており、その遠位部が選択的に裸出されている第１のループと、第１及び第２の端部を具え、その両端部が前記塞栓アッセンブリの近位端に機能的に連結されている第２のループを具えており、前記第１及び第２のループは相互にリンクされている。別の実施例では、前記第１のループの第１及び第２の端部が前記第１の導電物質と異なる第２の導電物質によって前記コアワイヤの遠位端の裸出部に機能的に連結されており、前記第２の導電物質が、前記コアワイヤの裸出部の遠位端に固定的に連結された近位端と、前記第１のループの二つの端部とともに第２の非導電物質内に固定的に覆われている遠位端を有する。この第２の非導電物質は前記第１の非導電物質と同じであるか、異なるものであってもよい。
【０００９】
一の実施例では、第２の導電物質が、前記コアワイヤの遠位端の裸出部と前記第１のループの両端部の周囲に螺旋状に巻回した導電ワイヤを具える。別の実施例では、第１の導電物質がステンレススチールまたはニチノールを具え、前記第１の非導電物質が第１の非導電ポリマを具え；前記第２の導電物質がプラチナ−タングステン合金を具え、前記第２の非導電物質が第２の導電ポリマを具える。第２の非導電ポリマは第１の非導電ポリマト同じものであっても、異なるものであってもよい。
【００１０】
更に別の実施例では、前記フレキシブル部材が前記第１の導電物質と同じ物質であっても異なるものであってもよい第２の導電物質でできており、近位端と遠位端を具え、更に近位端に第１の螺旋状コイルセグメントを、遠位端に第１のループセグメントを具え、前記螺旋状コイルセグメントが前記コアワイヤの遠位端に固定的に連結されている第２のワイヤと、第２の導電物質と異なる第３の導電物質でできており、近位端と遠位端を有し、近位端に第２のループセグメントを更に具える第３のワイヤを具え、前記第１及び第２のループセグメントが相互にリンクしており、前記第２の螺旋状セグメントの遠位端と前記塞栓アッセンブリの近位端が第２の非導電物質内に固定的に覆われている。第１及び第２の導電物質はステンレススチールかあるいはニチノールを具えていてもよい。例えば、非導電ポリマと、第３の導電物質はプラチナ−チタン合金を具えていてもよい。
【００１１】
本発明の様々な実施例では、上述のデバイスが更に、第１及び第２の端部を有する伸縮性抵抗部材であって、第１の端部が前記コアワイヤの遠位端に固定的に連結されており、第２の端部が前記フレキシブル部材に固定的に連結されている伸縮性抵抗部材を具えていてもよい。また、上述のデバイスは更に、前記第１の非導電物質の遠位端に非導電のブッシングを具え、このブッシングが前記コアワイヤの遠位端、あるいはフレキシブル部材の遠位端を通すルーメンを有する。
【００１２】
実施例の詳細な説明
図１は、本発明の一実施例を線図的に表したものである。押し出し（あるいはコア、これらの用語はここでは置換可能的に使用されている）ワイヤ１０の遠位端が螺旋状コイル１００の近位端に溶接ジャンクション１１０によって連結されている。螺旋状コイル１００はオープンピッチであってもクローズドピッチであってもよく、デバイスの領域内において所望の柔軟性あるいは可撓性を設定するべくピッチ自体を変化させることができる。押し出しワイヤ１０は、非導電物質２０に覆われている。溶接ジャンクション１１０と螺旋状コイル１００も非導電物質２０内に覆われている。溶接ジャンクション１１０と螺旋状コイル１００も非導電物質２０内に覆われている。典型的には、非導電物質は、ワイヤ１０をその近位端の近傍（電源に連結するための裸出部を十分残して）から遠位端までを覆っており、次いで、螺旋状コイル１００をその遠位端近傍まで覆っている。ワイヤは一部が裸出されたまま残っており、ワイヤの電解的分離が生じて塞栓部材１２０を切り離す結果切り離し部位３０を提供している。非導電物質２０は、ポリ（テトラフルオロエチレン）（テフロン（登録商標））、ポリ（パラキシレン）（パリレン（登録商標））、ポリ（エチレンテレフタレート）（ＰＥＴ）、ポリ（シアノアクリレート）など、あらゆる好適な絶縁材料とすることができる。
【００１３】
押し出しワイヤ１０は、何センチも離れていることがあるワイヤの近位端における操作によって患者の体内のターゲット部位でその遠位端を正確に移動させ位置決めするのに十分な弾性とフレキシビリティを有するものであればどのような材料でできていてもよい。この材料は、カーボンファイバやポリマなどを含むが、目下のところ、押し出しワイヤ１０はステンレススチールあるいはニチノールであることが好ましい。同様に、螺旋状コイル１００は適切な機械的特長を有する導電物質であればどのようなものでできていてもよい。目下のところ、螺旋状コイル１００は押し出しワイヤ１０と同じ材料でできていることが好ましい。選択的に非導電ブッシング５０を絶縁層２０の遠位端に含めるようにして、螺旋状コイル１００から電解的切り離し部位３０の更なる離隔を図るようにしてもよい。切り離し部位３０は、切り離し部位の電極電位と異なる標準電極電位（Ｅ０）を有する別の導電物質によって塞栓アッセンブリ１２０に連結されている。図１において、この導電物質は切り離し部位３０の周囲に螺旋状巻回されたワイヤで示されている。しかしながら、塞栓アッセンブリ１２０と送出デバイスを連結する方法がこれだけであると解するべきでない。ワイヤ巻線、スポット溶接、圧力クリップなど、切り離し部位３０の第１導電物質と第２の導電物質を密接させるあらゆる連結法で十分である。
【００１４】
図１に示すように、螺旋状コイル７０が電解切り離し部位３０の遠位端周囲に巻回されており、部分的に非導電物質８０の塊に覆われている。非導電物質８０はあらゆる絶縁物質でつくることができ、溶融ポリマが特に有益である。塞栓アッセンブリ１２０の近位端も、非導電物質８０に覆われている。切り離し位置３０に電気信号を送出すると、Ｅ０がより低い導電物質が腐食して塞栓部材１２０を切り離す。図に示すように、コネクタ７０は、切り離し部位３０を構成している金属と異なるＥ０を有する導電金属である。必要なＥ０差を有するものであればどのような二つの金属を用いることもできるが、目下のところ、切り離し位置３０をステンレススチールまたはニチノールとし、コネクタ７０がプラチナ／タングステン合金であることが好ましい。
【００１５】
本発明の別の実施例が図２に示されている。押し出しワイヤ１０がワイヤ４００の螺旋状巻き線セグメント４１０に連結されている。ワイヤ４００のセグメント４２０は、オープンピッチで螺旋状に巻回されている。押し出しワイヤ１０、ワイヤ４００のセグメント４１０及びセグメント４２０は、非導電物質２０に覆われている。上述の実施例にあるように、非導電ブッシング５０が非導電物質２０の遠位端に取り付けられて、ワイヤ４００のオープンピッチセグメント４２０をワイヤ４００のクローズドピッチセグメント４３０からさらに離隔させることができる。セグメント４３０は選択的に非導電物質で被覆されており、この物質は押し出しワイヤ１０とセグメント４２０を覆うのに使用する物質と同じ物質であってもよいし、あるいは別の非導電物質であってもよい。ここで用いられているように、“覆われている”との用語は、エレメントの個々の特徴が覆っている物質の外側から容易に見えないように本発明のエレメントを完全に囲んでいることを意味する。したがって、物質内に覆われているワイヤの螺旋状巻回特性は、普通の観察者には明らかでないであろう。反対に、“表面が被覆された”との用語が使用されている場合は、エレメントがその外観を残して被覆されているという意味である。すなわち、表面が被覆された螺旋状に巻回したワイヤは、通常の観察者にとって螺旋状の巻き線ワイヤであることが明らかである。“表面が被覆された”典型的な例は、ハードウエアストアで購買可能な普通の絶縁電気ワイヤである。
【００１６】
セグメント４３０の遠位端は裸出しており、切り離し部位４４０を具える。螺旋状コイル４５０の近位端は分離位置４４０の遠位部分の周囲にきつくまかれており、これらを互いに結び付けている。上述したとおり、螺旋状コイル４５０と切り離し位置４４０はＥ０が異なる金属又は合金でできている。コイル４５０と位置４４０はＥ０に必要な差がある金属又は合金であればどのようなものでできていてもよいが、目下のところ、切り離しサイト４４０がステンレススチールまたはニチノールであり、螺旋状コイル４５０がプラチナ／チタン合金であることが好ましい。コイル４５０の遠位端は、溶融可能な非導電ポリマ塊４７０の中に埋まっている。塞栓アッセンブリ４８０の近位端もポリマ塊４７０に埋まっている。選択的な伸縮性抵抗部材４６０が一方の端部において押し出しワイヤ１０の遠位端に、他端において切り離しサイト４４０に取り付けられていてもよく、ワイヤ４００のコイル状セグメントによって上述したルーメンにねじ入れることができる。部材４６０は螺旋領域内のワイヤ４００に伸縮性抵抗を提供する。部材４６０はあらゆる弾性のある非伸縮性材料でできていてもよい。一般的に、必要な特性を有するポリマ材料が最も頻繁に使用される。
【００１７】
図２は、本発明の本実施例の変形例を表わすものである。すなわち、セグメント４２０はオープンピッチであり、セグメント４３０がクローズドピッチとして示されているが、これは逆、すなわちセグメント４２０がクローズドピッチで、セグメント４３０がオープンピッチであってもまったくかまわないし、これも本発明の範囲内である。同様に、両方のセグメントがクローズドピッチ、あるいはオープンピッチであってもよく、後者の構成が図３に示されている。更に、図２ではセグメント４２０と４３０の分離点が、非導電物質２０の遠位端あるいは、選択的に非導電ブッシング５０の遠位端に偶然に一致しているが、この構成は必ずしも必要ではない。すなわち、非導電物質２０（あるいはブッシング５０）の遠位端は、セグメント４２０またはセグメント４３０の長さに沿ってどこにあってもよい。更に、上述したとおり、セグメント４３０と切り離しサイト４４０は、螺旋状に巻回されたワイヤ４５０と非導電物質４５０によって塞栓アッセンブリ４８０に連結されているように示されている。しかしながら、この連結には多くの方法があり、この明細書の開示に基づいて当業者には明らかである。このような構成のすべてが本発明の範囲内にある。
【００１８】
図４は、本発明の更に別の実施例を示す図であり、ここでは相互にリンクしたループ６０と９５によってデバイスのフレキシビリティが増加している。押し出しワイヤ１０は非導電物質２０内に覆われており、電源に取り付けるために、近位端においてワイヤ１０が十分に露出されている。更に、遠位端の一部も切り離し部位３０を提供するために裸出している。非導電物質は、本発明のその他の実施例について上述した物質のいずれであってもよい。更に、非導電ブッシング５０が選択的に含まれており、押し出しワイヤ１０の覆われた部分を切り離し部位３０から更に離隔させることができる。塞栓部材１２０の電解的切り離しは、押し出しワイヤ１０と異なるＥ０を有する金属でなる連結介在物７０によって行われる。電気信号を切り離し部位３０に送ると、より低いＥ０を有する金属が腐食して、塞栓部材１２０を切り離す。図に示すように、塞栓部材１２０が押し出しワイヤ１０に、押し出しワイヤ１０を覆うのに使用されている非導電物質と同じ、あるいはこれとは別の非導電物質８０塊によって取り付けられている。コアワイヤ１０およびコネクタ７０にはＥ０に必要な差があるあらゆる金属の組み合わせを使用することができるが、典型的なコアワイヤ１０はステンレススチールかニチノールであり、コネクタ７０はプラチナ／ジルコニウム合金である。
【００１９】
アイレットループ６０は、あらゆる非導電材料で作ることができる。目下のところ、ＰＥＴなどのファイバあるいはファイバ状構造を形成することのできる材料でつくることが好ましい。塞栓アッセンブリ部材４０は、遠位の螺旋状巻回コイル領域９０と、アイレットループ６０と相互にリンクしているアイレットループ９５を有している。上述したとおり、図４に示す実施例は例示であり、本発明の範囲を超えずにその他の構造が可能である。例えば、塞栓アッセンブリ４０の領域９０は螺旋状巻回ワイヤである必要はなく、例えば、限定することなく、単純に直線状のワイヤセグメントであるか、あるいはフラットな金属片であってもかまわない。
【００２０】
図５は、本発明の更に別の実施例を示す図であり、ここでは上述した二つの実施例のエレメントが組み合わされている。従って、押し出しワイヤ１０の遠位端が溶接ジャンクション１１０によって螺旋状コイル１００の近位端に連結されている。螺旋状コイル１００は、柔軟性あるいは可撓性を所望の度合いにするべく、オープンピッチであってもクローズドピッチであっても、ピッチ自体が変化するものであってもよい。押し出しワイヤ１０と、溶接ジャンクション１１０と螺旋状コイル１００は、非導電物質２０内に覆われている。非導電物質２０は上述した本発明の第１及び第２の実施例について上述した材料のいずれでできていてもよく、あるいはここに開示されている要求に合致するものであればその他の材料でできていてもよい。同様に、非導電ブッシング５０が絶縁層２０の遠位端に選択的に含まれており、塞栓アッセンブリ１２０の電解的分離が生じる箇所であるアイレットループ３００の更なる隔離を図るようにしてもよい。コイル７０とアイレットループ３１０は導電物質であり、アイレットループ３００を構成する物質、好ましくは金属、と異なるＥ０を有する金属又は合金でできていることが好ましい。Ｅ０に所望の差を有する金属又は合金のどのような組み合わせも使用することができるが、目下のところアイレットループ３００はステンレススチールで、アイレットループ３１０はプラチナ／チタン合金であることが好ましい。螺旋状コイル７０は、非導電物質８０の塊の中に埋め込まれている。また、塞栓アッセンブリ１２０の近位端も物質８０内に埋め込まれている。物質８０は、コイル７０の遠位端とアッセンブリ１２０の近位端を覆うべく溶解あるいは溶融するものであればどのような非導電材料であってもよい。目下のところＰＥＴなどのポリマ材料が好ましい。
【００２１】
塞栓デバイス送出装置の遠位端のフレキシビリティを改善するためのここに述べたデバイスの特に図に示して説明した実施例は図解のためだけのものであり、どのような意味でも本発明を限定するものではなく、そのように解釈すべきではない。このデバイスの多くの変更および変形がこの開示に基づいて当業者には明らかである。このような変更および変形は本発明の範囲内にあり、この範囲は請求の範囲によってのみ規定される。
【図面の簡単な説明】
【００２２】
図面はここに開示されている発明の実施例の理解を助けるためのものである。図面は、どのような態様においても本発明の範囲を限定することを意図したものでもなく、そのように解釈するべきでもない。例えば、螺旋状コイルが表されている場合、図に簡単に示すために、実際のターンの内の一定数のみが示されている。しかしながら図に示されているターン数は限定的なものと解釈すべきでなく、より多いあるいはより少ないターンが可能であり、これらは本発明の範囲内にある。別の例について言えば、螺旋状コイルのピッチは図に示すものに限定されるものではなく、そのコイルを含むデバイスのセグメントに対してすべての望ましいフレキシビリティ度を与えるようにピッチを変えることができる。
【図１】図１は、本発明の一実施例を示す図であり、押し出しワイヤ１０の遠位端と塞栓部材１２０の間に、螺旋状に巻回されたワイヤ１００によってフレキシビリティが与えられている。
【図２】図２は、本発明の別の実施例を示す図であり、ここでは押し出しワイヤ１０の遠位端と塞栓部材４８０の間に、独立してオープンピッチまたはクローズドピッチになる二つの部分４２０と４３０を具える螺旋状に巻回されたワイヤによってフレキシビリティが与えられている。図２Ａでは、近位部分５２０がオープンピッチであり、遠位部分５３０がクローズドピッチである。
【図３】図３は図２に示す実施例の図であり、ここでは、螺旋状に巻回したセグメントの近位端５２０と遠位端５３０の双方がオープンピッチである。
【図４】図４は、本発明の更なる実施例を示す図であり、相互にリンクしたループ６０と９５によってデバイスの遠位端にフレキシビリティが与えられている。
【図５】図５は、本発明の更なる実施例を示す図であり、図１と図４に示すデバイスのフレキシビリティを与える特徴が組み合わされている。すなわち、図５のデバイスが、螺旋状に巻回したセグメント１００と相互にリンクしたループ３００と３１０の両方を具える。
【図１】
0004617301.tif 000002
【図２】
0004617301.tif 000003
【図３】
0004617301.tif 000004
【図４】
0004617301.tif 000005
【図５】
0004617301.tif 000006